(57)【特許請求の範囲】
【請求項１】
試着室内での衣料品の試着姿を撮影する撮影手段と，この撮影手段で撮影された試着姿映像を表示する試着姿映像表示手段と，この表示手段に表示された試着姿映像を記憶する試着姿映像記憶手段と、この試着姿映像記憶手段に記憶されている試着姿映像から選択された試着姿映像を前記試着姿映像表示手段に選択表示させる試着姿映像表示制御手段と、この表示制御手段により選択された試着姿映像を客に手渡し可能な媒体にプリントアウトすると共に、その試着した衣料品のコードラベルからスキャナーにより読み取った衣料品データを同一の媒体にプリントアウトするプリンタと、を具備していることを特徴とする試着姿確認装置。
【請求項２】
前記試着姿映像表示手段が前記撮影手段で撮影された複数の前記試着姿映像を１画面上に併表示可能に形成されていることを特徴とする請求項１記載の試着姿確認装置。
【請求項３】
前記読取衣料品データには商品名および価格が含まれていることを特徴とする請求項１記載の試着姿確認装置。
【請求項４】
前記媒体には、撮影日付および当該店舗名もプリントアウト可能に形成されていることを特徴とする請求項１記載の試着姿確認装置。
【請求項５】
前記読取衣料品データが前記媒体にバーコード形式でプリントアウト可能に形成されていることを特徴とする請求項１記載の試着姿確認装置。
【請求項６】
請求項１から請求項４までのいずれか１項に記載された試着姿確認装置を備え、スキャナを用いて客購入商品から当該商品データを読取可能かつ読取った商品データを利用して商品登録可能であるとともに、商品データ読取手段を用いて前記媒体にプリントされた衣料品データを読取可能かつ読取った衣料品データを利用して当該衣料品についての商品登録ができるように形成されたことを特徴とする商品販売データ処理システム。
【請求項７】
請求項５記載の試着姿確認装置を備え、スキャナを用いて客購入商品から当該商品データを読取可能かつ読取った商品データを利用して商品登録可能であるとともに、商品データ読取り用の該スキャナを用いて前記媒体にプリントされた衣料品データを読取可能かつ読取った衣料品データを利用して当該衣料品についての商品登録ができるように形成されたことを特徴とする商品販売データ処理システム。
【発明の詳細な説明】
【０００１】
【発明の属する技術分野】
本発明は、衣料品の試着姿をその場（試着室）で映像を通して確認可能な試着姿確認装置およびその場で映像を通して確認した試着姿をプリントアウト可能に形成された試着姿確認装置を備えた商品販売データ処理システムに関する。
【０００２】
【従来の技術】
衣料品専門店，デパート，スーパーマーケット等において、客は購入予定の衣料品を当該売り場の試着室内で試着し、当該衣料品の試着姿を鏡で確認している。これにより、当該衣料品を当日あるいは後日に購入しようと決定する。試着後に当該衣料品は販売員に戻される。
【０００３】
【発明が解決しようとする課題】
ところで、試着は同種または異種にわたる複数の衣料品について行われる。どれを購入するかについての決定は、その場で即決する場合と，当人の各試着姿の記憶に照らしあるいは関係人の意見を聴いて検討される。しかし、必ずしも、デザイン的あるいはサイズ的に最良の衣料品を選択することができない場合が、多々に生じる。
【０００４】
特に、試着室内では後姿を目視確認することが難しいばかりか、身体不自由者等には姿見が困難な場合も多い。また、後日までに購入対象衣料品を決定しかつその後に購入する場合や関係者の了解等を取ってから購入決定する場合には、本人の記憶だけでは、極めて観念的になり先の試着の意味がなくなる。
【０００５】
また、試着衣料品をその場で購入する場合でかつ客自身が販売員に購入衣料品を口頭説明しなければならない場合には、客が直接にあるいは立会販売員を介して購入予定衣料品をカウンターに運びかつ販売員に当該衣料品を包装してもらう場合に比較して、ミス（サイズ，色や模様，生地等に違い）が生じ易い。
【０００６】
本発明の第１の目的は、試着姿をその場で映像を通して目視確認することのできる試着姿確認装置を提供することにある。また、第２の目的は、その場で映像を通して目視確認した試着姿をプリントアウトすることのできる試着姿確認装置を備えた商品販売データ処理システムを提供することにある。
【０００７】
【課題を解決するための手段】
請求項１の発明は、試着室内での衣料品の試着姿を撮影する撮影手段と，この撮影手段で撮影された試着姿映像を表示する試着姿映像表示手段と，この表示手段に表示された試着姿映像を記憶する試着姿映像記憶手段と、この試着姿映像記憶手段に記憶されている試着姿映像から選択された試着姿映像を前記試着姿映像表示手段に選択表示させる試着姿映像表示制御手段と、この表示制御手段により選択された試着姿映像を客に手渡し可能な媒体にプリントアウトすると共に、その試着した衣料品のコードラベルからスキャナーにより読み取った衣料品データを同一の媒体にプリントアウトするプリンタと、を具備していることを特徴とする試着姿確認装置である。
【０００８】
かかる発明では、試着室内の客操作または入室した場合に自動的に、例えば１乃至複数のカメラからなる撮影手段は、試着室内での衣料品の試着姿を撮影する。撮影された試着姿映像は、試着姿映像表示手段によって表示されるので、客は当該試着姿を目視確認しつつ当該衣料品に対する評価を行える。
【０００９】
また、撮影された試着姿映像は、試着姿映像記憶手段に記憶される。この試着姿映像記憶手段に記憶されている試着姿映像でかつ選択された試着姿映像を該試着姿映像表示手段に選択表示することができる。つまり、客は記憶映像を撮影番号等から予め選択しあるいは表示画面を見ながら、１乃至２以上の試着姿映像を表示させつつ特定の１つの試着姿または比較検討すべき２以上の試着姿を選択して併表示させることができる。
【００１０】
かくして、試着姿をその場で映像を通して目視確認することができるから、自分好みの衣料品を確実に選択できかつ店舗側にとっても後のクレーム（サイズ交換等）の発生が少なくてすむ。
【００１１】
さらに例えば型，模様，サイズ等の異なる複数種類の衣料品の中から１の衣料品を選択し、あるいはある衣料品についての正面姿や背面姿を同時に観察しつつその採択を検討することができる。
【００１２】
また、客は、撮影手段で撮影中の試着姿映像あるいは複数回にわたって撮影しかつ試着姿映像記憶手段に記憶されている各試着姿映像の中から好みの試着姿を選択し、選択した試着姿を媒体にプリントアウトさせかつ当該媒体を入手することができる。
【００１３】
したがって、その場で複数毎の媒体を並べて多数の試着姿を比較検討でき、あるいは媒体を持ち帰って関係者の賛同を得てから後日に購入するということができる。
【００１４】
また、客または立会販売員は、例えば備付のスキャナを用いて試着衣料品のコードラベルから当該衣料品データを読取ることができる。その後に、当該衣料品の試着姿をプリントアウトすると、当該媒体に自動的あるいは選択的に読取衣料品データがプリントアウトされる。つまり、当該衣料品を特定するための情報（衣料品データ）を付記記憶しておくことができる。
【００１５】
したがって、当日購入の場合に当該衣料品を試着室からレジ場に運んだり、後日購入の場合に当該衣料品を探し出したりしなくても、当該媒体を持参するだけで当該衣料品が何であるかを当該衣料品データを手掛かりに特定することができるから、客は正確な買い物を安心して行えかつ店舗側にとっても業務能率が向上する。
【００１６】
また、請求項２の発明は、前記試着姿映像表示手段が前記撮影手段で撮影された複数の前記試着姿映像を１画面上に併表示可能に形成された試着姿確認装置である。
【００１７】
かかる発明では、複数種類の衣料品を交換しつつ撮影された各試着姿映像は、試着姿映像記憶手段に記憶される。この試着姿映像記憶手段に記憶されている複数種類の試着姿映像を試着姿映像表示手段の１画面に併（同時）表示することができる。また、撮影手段が複数台のカメラから構成されている場合における各カメラで撮影した各試着姿映像についても、１画面に併（同時）表示することができる。
【００１８】
さらに、請求項３の発明は、前記読取衣料品データには商品名および価格が含まれている試着姿確認装置である。
【００１９】
かかる発明では、読取衣料品データには商品名および価格が含まれているので、請求項４の発明の場合と同様な作用効果を奏することができることに加え、さらに当該衣料品を迅速かつ正確に特定できかつ価格も当日価格で提供でき得る。
【００２０】
さらに、請求項４の発明は、前記媒体には撮影日付および当該店舗名もプリントアウト可能に形成された試着姿確認装置である。
【００２１】
かかる発明では、媒体には試着姿等の他に、その撮影日付および当該店舗名もプリントアウトされているので、当該衣料品の販売有効期間管理を行え、また例えば同一チェーン店の他店舗において当該試着品と同一の衣料品を正確に購入することができる。
【００２２】
さらに、請求項５の発明は、前記読取衣料品データが前記媒体にバーコード形式でプリントアウト可能に形成された試着姿確認装置である。
【００２３】
かかる発明では、媒体には読取衣料品データがバーコード形式でプリントアウトされるので、バーコードスキャナを利用して当該衣料品データを正確かつ迅速に読取ることができるから、店舗側の業務能率を大幅に向上できる。
【００２４】
さらにまた、請求項６の発明は、請求項１から請求項４までのいずれか１項に記載された試着姿確認装置を備え、スキャナを用いて客購入商品から当該商品データを読取可能かつ読取った商品データを利用して商品登録可能であるとともに、商品データ読取手段を用いて前記媒体にプリントされた衣料品データを読取可能かつ読取った衣料品データを利用して当該衣料品についての商品登録ができるように形成された商品販売データ処理システムである。
【００２５】
かかる発明では、商品購入客については、スキャナを用いて当該客購入商品（例えば、“ブラウス”）から当該商品データを読取りかつ読取商品データを利用して商品登録する。一方、衣料品データがプリントされた媒体を持参した客に対しては、商品データ読取手段を用いて媒体にプリントされた衣料品データを読取り、この読取った衣料品データを利用して当該衣料品（例えば、“スーツ”）の商品登録を行う。
【００２６】
したがって、販売員は試着室内の客についての張付き対応を省略できるとともに、当該試着衣料品についても一般商品の場合と同様に商品登録ができるから、客は衣料品選択に関して煩わしくなくかつ店舗側の商品販売業務を向上できる。
【００２７】
さらにまた、請求項７の発明は、請求項５記載の試着姿確認装置を備え、スキャナを用いて客購入商品から当該商品データを読取可能かつ読取った商品データを利用して商品登録可能であるとともに、商品データ読取り用の該スキャナを用いて前記媒体にプリントされた衣料品データを読取可能かつ読取った衣料品データを利用して当該衣料品についての商品登録ができるように形成された商品販売データ処理システムである。
【００２８】
かかる発明では、スキャナを用いて客購入商品から当該商品データを読取とって商品登録する。媒体にプリントされた衣料品データに対応する衣料品に関しては、同じスキャナを用いて当該衣料品データを読取りかつ読取った衣料品データを利用して商品登録することができる。
【００２９】
したがって、販売員は試着室内の客についての張付き対応を省略できるとともに、当該試着衣料品についても一般商品の場合と同様に同一のスキャナを用いて当該各データを読取りつつ商品登録ができるから、客は衣料品選択に関して煩わしくなくかつ店舗側の商品販売業務を大幅に向上できる。
【００３０】
【発明の実施の形態】
以下、本発明の実施形態について図面を参照して説明する。
【００３１】
（第１の実施形態）
本試着姿確認装置５０は、図１，図２に示す如く、試着室１００内での衣料品の試着姿Ｓを撮影可能な撮影手段（カメラ５４）と，この撮影手段（５４）で撮影された試着姿映像を表示可能な試着姿映像表示手段（表示器５５）と，表示された試着姿映像を記憶可能な試着姿映像記憶手段（ＲＡＭ５３）とを有し、この試着姿映像記憶手段（５３）に記憶されている試着姿映像でかつ選択された試着姿映像を試着姿映像表示手段（５５）に選択表示可能に形成されている。
【００３２】
図２において、試着姿確認装置５０は、制御部（ＣＰＵ５１，ＲＯＭ５２，ＲＡＭ５３）に、カメラ（ＣＭＲ）５４，操作部（ＰＮＬ）５６，スキャナ（ＳＣＮ）５７，表示器（ＩＮＤ）５５，プリンタ（ＰＮＴ）５８，入出力ポート（Ｉ／Ｏ）５９および通信用インターフェイス（Ｉ／Ｆ）６１を含み、図１に示すように試着室１００に配設されている。なお、電子キャッシュレジスタ１０に関しては、第２の実施形態で説明する。
【００３３】
撮影手段を形成するカメラ５４は、試着室１００内での衣料品の試着姿をカラーで撮影（図３のＳＴ１２）することができる。この実施形態では、客が試着室に入ると図２の入出力ポート５９を介して接続されたセンサー６５がＯＮとなり、客入室が確認される（ＳＴ１０でＹＥＳ）。この状態、つまり再表示要求がない場合（ＳＴ１１のＮＯ）に、入室によって自動的に撮影（ＳＴ１２）することができる。
【００３４】
なお、図１，図２では、カメラ５４は、１台を示しているが、例えば試着室１００の四方壁面に分散した複数（例えば、４）台としてもよい。かくすれば、客が動かなくでも、正面姿のみならず背面姿等も同時に撮影することができる。身体不自由者にもやさしい。
【００３５】
（ＳＴ１２）された試着姿映像Ｓ１をカラー表示する手段である。また、この表示器５５は、複数画像併表示制御手段（ＣＰＵ５１，ＲＯＭ５２）との協働により、図６に示す如く複数（例えば、４つ）の試着姿映像Ｓ１１，Ｓ１２，Ｓ１３，Ｓ１４を１画面上に併表示（図４のＳＴ２１）することができる。後記のサムネイル表示（ＳＴ１９）の併表示の一種である。
【００３６】
試着姿映像記憶手段（ＲＡＭ５３）は、表示された試着姿映像を記憶する手段で、この実施形態ではＲＡＭ５３から形成されている。記憶動作は、試着姿映像記憶制御手段（ＣＰＵ５１，ＲＯＭ５２）の働きによる。この試着姿映像記憶手段（５３）に記憶（ＳＴ１８のＹＥＳ）されている試着姿映像は、表示器５５にサムネイル表示（ＳＴ１９）可能でかつ操作部５６の選択ボタン５６Ｓを用いて１または２以上の試着姿映像を選択（ＳＴ２０のＹＥＳ）することができる。
【００３７】
なお、操作部５６には、図１に示す如く、再表示要求（図３のＳＴ１１でＹＥＳ）をするための再表示要求ボタン５６Ａ，表示された衣料データの記憶要求（ＳＴ１６のＹＥＳ）をするための記憶要求ボタン５６Ｍ，撮影手段（５４）で撮影中の試着姿映像および試着姿映像記憶手段（５３）に記憶されている試着姿映像の中から１または２以上の試着姿を選択（図４のＳＴ２０でＹＥＳ）するための試着姿選択ボタン５６Ｓ，印刷要求（ＳＴ２２のＹＥＳ）をするための印刷要求ボタン５６Ｐおよび終了（クリア）指示（ＳＴ２４のＹＥＳ）のための終了（クリア）ボタン５６Ｃが設けられている。
【００３８】
選択試着姿映像表示制御手段（ＣＰＵ５１，ＲＯＭ５２）は、撮影手段（５４）で撮影中の試着姿映像および試着姿映像記憶手段（５３）に記憶されている試着姿映像でかつ選択（ＳＴ２０のＹＥＳ）された試着姿映像を試着姿映像表示手段（５５）に選択表示（ＳＴ２１）する。
【００３９】
印刷出力制御手段（ＣＰＵ５１，ＲＯＭ５２）は、印刷要求ボタン５６Ｐを用いて印刷要求がなされた場合（ＳＴ２２でＹＥＳ）に、撮影手段（５４）で撮影中の試着姿映像および試着姿映像記憶手段（５３）に記憶されている試着姿映像の中から試着姿選択ボタン５６Ｓを用いて選択された試着姿映像（例えば、Ｓ１）を、客に手渡し可能な図５に示す媒体（例えば、用紙）７０にプリントアウト（印刷出力）することができる（ＳＴ２３）。プリンタ５８は、カラーインクジェットプリンタである。
【００４０】
この媒体７０には、試着姿映像（例えば、Ｓ１）の他に図８にブロック表示した読取衣料品データ７１をもプリントアウト可能に形成してある。すなわち、据置型のスキャナ５７を用いて試着した衣料品の内側に取付けられたコードラベルから当該衣料品データ（バーコード７２）を読取可能（図３のＳＴ１４でＹＥＳ）かつ読取った衣料品データ（バーコード７２）を第２の実施形態で説明する商品ファイルと同様なファイルを参照しつつデータ変換された衣料品データ（商品名，価格等）７１がプリントアウトされる。
【００４１】
この実施形態では記憶要求ボタン５６Ｍを用いて記憶要求した場合（ＳＴ１６のＹＥＳ）に、試着姿映像記憶手段（５３）に当該衣料品を試着した試着姿映像Ｓ１とともに当該読取衣料品データ７１を記憶可能（ＳＴ１７）に形成してある。また、読取った衣料品データ（バーコード７２）も当該バーコード７２の形式でも記憶することができる。
【００４２】
そして、印刷要求ボタン５６Ｐを用いて印刷要求がなされた場合（図４のＳＴ２２でＹＥＳ）に、印字出力制御手段（５１，５２）が、試着姿映像記憶手段（５３）に記憶されている当該試着姿映像Ｓ１をプリントアウトする際に当該読取衣料品データ７１を図８に示す如くプリントアウトすることができる（ＳＴ２３）。
【００４３】
読取衣料品データ７１には、当該衣料品の上記した商品名および価格が含まれ、この実施形態では撮影日付および当該店舗名も衣料品データ７１の一部として媒体７０にプリントアウトされる。この媒体７０は、図１に示すプリンタ５８の発行口５８Ａから発行される。
【００４４】
さらに、読取衣料品データ７１からデータ変換したバーコード７２（または、直接に読取られたバーコード７２）も、プリントアウト可能に形成されている。詳細後記のバーコードスキャナ（１５）で、バーコード７２形式の衣料品データ７１を読取可能とするためである。
【００４５】
終了（クリア）ボタン５６Ｃを用いた終了指示（図４のＳＴ２４でＹＥＳ）が成されると、記憶消去制御手段（ＣＰＵ１１，ＲＯＭ１２）が試着姿映像記憶手段（５３）に記憶されている試着姿映像を記憶消去（クリア）する（ＳＴ２５）。自分の試着姿が他人に見られることがない。
【００４６】
かかる第１の実施形態つまり試着姿確認装置５０では、客が図１に示す試着室１００内に入ると、図２に示すセンサー６５が働き（図３のＳＴ１０でＹＥＳ）、当該客が再表示要求（ＳＴ１１のＹＥＳ）をしなければ、カメラ５４からなる撮影手段が、試着室１００内での衣料品の試着姿Ｓ１を撮影する（ＳＴ１２）。
【００４７】
撮影された試着姿映像Ｓ１は、図５に示すように試着姿映像表示手段（５５）にカラー表示（ＳＴ１３）されるので、客は当該試着姿Ｓ１を目視確認しつつ当該衣料品に対する評価を行える。
【００４８】
この際に、客（または、立会販売員）は、図１に示す据置型スキャナ５７を用いて試着した衣料品のコードラベルから当該衣料品データ（７２）を読取ることができる（ＳＴ１４のＹＥＳ）。読取った衣料品データ（７２）は、図８に示す如く表示器５５に表示される（ＳＴ１５）。
【００４９】
このバーコード７２からデータ変換された衣料品データ（商品名，価格等）７１も表示される。客は、その内容（商品名，価格、撮影年月日，店舗名等）を確認することができる。
【００５０】
そこで、記憶要求ボタン５６Ｍを用いて記憶要求（ＳＴ１６のＹＥＳ）すると、試着姿映像記憶制御手段（５１，５２）が、試着姿映像Ｓ１とこれに対応する読取衣料品データ（７２）とを試着姿映像記憶手段（５３）に記憶する（ＳＴ１７）。
【００５１】
次に、当該客が再表示要求ボタン５６Ａを用いて再表示要求（ＳＴ１１のＹＥＳ）をすると、試着姿映像記憶手段（５３）に記憶されている試着姿映像が表示器５５にサムネイル表示（図４のＳＴ１９）される。なお、２以上の試着姿映像を同一画面（表示器５５）上に併表示することができる。
【００５２】
そこで、試着姿選択ボタン５６Ｓを用いて拡大表示すべく映像を選択（ＳＴ２０でＹＥＳ）すると、試着姿映像表示制御手段（５１，５２）が、例えば図５に示す試着姿Ｓ１や図６（または、図７）に示す選択試着姿映像Ｓ１１，Ｓ１２，Ｓ１３，Ｓ１４（Ｓ１，Ｓ２，Ｓ３，Ｓ４，Ｓ５）を試着姿映像表示手段（５５）に選択表示（ＳＴ２１）することができる。
【００５３】
つまり、客は記憶映像を撮影番号等から予め選択しあるいは表示画面（ＳＴ１９）を見ながら、１乃至２以上の試着姿映像をカラー表示させつつ特定の１つの試着姿Ｓ１または比較検討すべき２以上の試着姿［Ｓ１１，Ｓ１２，Ｓ１３，Ｓ１４（Ｓ１，Ｓ２，Ｓ３，Ｓ４，Ｓ５）］を選択して併表示させることができる。かくして、試着姿をその場で映像を通して目視確認することができるから、自分好みの衣料品を確実に選択できかつ店舗側にとっても後のクレーム（サイズ交換等）の発生がすくなくてすむ。
【００５４】
しかも、試着姿映像表示手段（５５）が撮影手段（５４）で撮影された複数の試着姿映像を１画面上に併表示可能である。また、撮影手段（５４）が複数台のカメラ５４から構成されかつ各カメラで撮影した各試着姿映像についても１画面に併（同時）表示できる。したがって、図６に示す衣料品についての正面姿（Ｓ１１）や背面姿（Ｓ１２）を同時に観察しつつその採択を検討できる。あるいは、図７に示す模様（型，サイズ等）の異なる複数種類の衣料品の中から１の衣料品を選択することができるわけである。
【００５５】
また、印刷要求ボタン６５Ｐを用いて印刷要求（ＳＴ２２でＹＥＳ）をすることにより、試着姿映像記憶手段（５３）に記憶されている試着姿映像［または／および撮影手段（５４）で撮影中の試着姿映像］の中から選択（ＳＴ２０のＹＥＳ）された試着姿映像（例えば、Ｓ１）を、図８に示す如く客に手渡し可能な媒体７０にプリントアウト（ＳＴ２３）することができる。
【００５６】
すなわち、客は、撮影手段（５４）で撮影中の試着姿映像あるいは複数回にわたって撮影しかつ試着姿映像記憶手段（５３）に記憶されている試着姿映像の中から選択した好みの試着姿を媒体７０にプリントアウトさせかつ当該媒体７０を入手することができるから、その場で複数毎の媒体７０を並べて多数の試着姿を比較検討できあるいは媒体７０を持ち帰って関係者の賛同を得てから後日に購入することができる。
【００５７】
また、客または立会販売員が先に備付の据置型スキャナ５７を用いて読取られかつ当該衣料品に対応されて付記記憶されていたデータ変換後の衣料品データ（７２）をも当該媒体７０にプリントアウトさせることができるから、当日購入の場合に当該衣料品を試着室１００からレジ場に運んだり、後日購入の場合に当該衣料品を探し出したりしなくても、媒体７０を持参するだけで当該衣料品が何であるかを当該衣料品データ（７１，７２）を手掛かりに特定することができるから、客は正確な買い物を安心して行えかつ店舗側にとっても業務能率が向上する。
【００５８】
しかも、読取衣料品データ７１には商品名および価格が含まれているので、当該衣料品を迅速かつ正確に特定できかつ価格も当日価格で提供でき得る。さらに、媒体７０には試着姿等の他にその撮影日付および当該店舗名もプリントアウトされているので、当該衣料品の販売有効期間管理を行え、また例えば同一チェーン店の他店舗において当該試着品と同一の衣料品を正確に購入することができる。
【００５９】
特に、読取衣料品データ７１が図８に示すバーコード７２形式でプリントアウト可能であるから、バーコードスキャナ（１５）を利用して当該衣料品データを正確かつ迅速に読取ることができるから、店舗側の業務能率を大幅に向上できる。
【００６０】
（第２の実施形態）
この第２の実施形態は、図２に示す如く第１の実施形態の場合（図１，図２）と同様な試着姿確認装置５０を備え、かつ図２に示すスキャナ１５を用いて客購入商品から読取とった商品データを利用して商品登録可能であるとともに、商品データ読取手段を用いて媒体７０から読取った衣料品データ（７１，７２）を利用して当該衣料品について商品登録可能に形成された商品販売データ処理システムである。
【００６１】
商品データ読取手段としては、図８に示す商品名，価格等々が目読可能に印刷された衣料品データ７１を読取するイメージスキャナ等から形成してもよいが、この第２の実施形態では商品コード（バーコード）を読取入力するためのバーコードスキャナ１５を兼用するものと構築してある。
【００６２】
図２において、データ通信回線（ＬＡＮ）１を介して接続された試着姿確認装置５０とともに商品販売データ処理システムを構築する１または２以上の電子キャッシュレジスタ１０は、ＣＰＵ１１，ＲＯＭ１２，ＲＡＭ１３，キーボード（ＫＢ）１４，バーコードスキャナ（ＳＣＮ）１５，表示器（ＩＮＤ）１６，レシート発行用のプリンタ（ＰＮＴ）１７，自動開放型のドロワ（ＤＲＷ）１８，データ通信回線１用のインターフェイスおよび上位機（図示省略）とのデータ通信回線２用のインターフェイスを含み、図９に示す商品登録機能（ＳＴ３０，ＳＴ３１），会計処理機能（ＳＴ３２，ＳＴ３３）等を実行可能である。
【００６３】
かくして、販売員は、商品購入客については、バーコードスキャナ１５を用いて当該客購入商品（例えば、“ブラウス”）から当該商品データ（商品コード）を読取り（ＳＴ３０でＹＥＳ）かつ読取商品データを利用して商品登録（ＳＴ３１）する。
【００６４】
また、同じバーコードスキャナ１５を用いて図８に示す媒体７０にプリントされた衣料品データ７１に対応するバーコード７２を読取る（ＳＴ３０でＹＥＳ）ことができかつ読取った衣料品データ（７２）を利用して当該衣料品についての商品登録（ＳＴ３１）をすることができる。
【００６５】
したがって、販売員（店員）は試着室１００内の客についての張付き対応を省略できるとともに、試着衣料品についても一般商品の場合と同様に商品登録ができるから、客は衣料品選択に関して煩わしくなくかつ店舗側の商品販売業務を大幅に向上できる。
【００６６】
なお、衣料品データ７１がプリントされた媒体１００を持参した客に対しては、格別の商品データ読取手段を用いて図８に示す媒体７０にプリントされた衣料品データ７１を読取り、この読取った衣料品データを利用して当該衣料品（例えば、“スーツ”）の商品登録を行うように形成することができる。衣料品データ（７１）をキー入力して商品登録することも可能である。
【００６７】
【発明の効果】
請求項１の発明によれば、試着姿をその場で映像を通して目視確認することができる。よって、自分好みの衣料品を確実に選択できかつ店舗側にとっても後のクレーム（サイズ交換等）の発生が少なくてすむ。
【００６８】
また、撮影手段で撮影中の試着姿映像および試着姿映像記憶手段に記憶されている試着姿映像の中から選択された試着姿映像を客に手渡し可能な媒体にプリントアウト可能に形成されているので、その場で複数毎の媒体を並べて多数の試着姿を比較検討できあるいは媒体を持ち帰って関係者の賛同を得てから後日に購入するということができる。
【００６９】
さらに、試着衣料品のコードラベルから当該衣料品データを読取可能かつ当該衣料品を試着した試着姿映像とともに読取衣料品データを同一媒体にプリントアウト可能に形成されているので、当日購入の場合に当該衣料品を試着室からレジ場に運んだり、後日購入の場合に当該衣料品を探し出したりしなくても、当該媒体を持参するだけで当該衣料品が何であるかを当該衣料品データを手掛かりに特定することができるから、客は正確な買い物を安心して行えかつ店舗側にとっても業務能率が向上する。
【００７０】
また、請求項２の発明によれば、試着姿映像表示手段が撮影手段で撮影された複数の前記試着姿映像を１画面上に併表示可能に形成されているので、請求項１の発明の場合と同様な効果を奏することができることに加え、さらに例えば型，模様，サイズ等の異なる複数種類の衣料品の中から１の衣料品を選択しあるいはある衣料品についての正面姿や背面姿を同時に観察しつつその採択を検討することができる。
【００７１】
さらに、請求項３の発明によれば、読取衣料品データには商品名および価格が含まれているので、当該衣料品を迅速かつ正確に特定できかつ価格も当日価格で提供でき得る。
【００７２】
さらに、請求項４の発明によれば、媒体には撮影日付および当該店舗名もプリントアウト可能に形成されているので、当該衣料品の販売有効期間管理を行え、また例えば同一チェーン店の他店舗において当該試着品と同一の衣料品を正確に購入することができる。
【００７３】
さらに、請求項５の発明によれば、読取衣料品データが媒体にバーコード形式でプリントアウト可能に形成されているので、バーコードスキャナを利用して当該衣料品データを正確かつ迅速に読取ることができるから、店舗側の業務能率を大幅に向上できる。
【００７４】
さらにまた、請求項６の発明によれば、スキャナを用いて読取った商品データを利用して商品登録可能であるとともに、商品データ読取手段を用いて媒体から読取った衣料品データを利用して衣料品について商品登録可能に形成された商品販売データ処理システムであるから、販売員は試着室内の客についての張付き対応を省略できるとともに、当該試着衣料品についても一般商品の場合と同様に商品登録ができるから、客は衣料品選択に関して煩わしくなくかつ店舗側の商品販売業務を向上できる。
【００７５】
さらにまた、請求項７の発明によれば、スキャナを用いて読取った商品データを利用して商品登録可能であるとともに、商品データ読取り用スキャナを用いて媒体から読取った衣料品データを利用して衣料品について商品登録可能に形成された商品販売データ処理システムであるから、販売員は試着室内の客についての張付き対応を省略できるとともに、当該試着衣料品についても一般商品の場合と同様に同一のスキャナを用いて当該各データを読取りつつ商品登録ができるから、客は衣料品選択に関して煩わしくなくかつ店舗側の商品販売業務を大幅に向上できる。
【図面の簡単な説明】
【図１】  本発明の第１の実施形態に係る試着室に配設された試着姿確認装置を説明するための概略図である。
【図２】  同じく、試着姿確認装置が電子キャッシュレジスタとともに商品販売データ処理システムを構築した場合を説明するためのブロック図である。
【図３】  同じく、試着姿確認装置側の試着姿映像確認動作を説明するためのフローチャート（１）である。
【図４】  同じく、試着姿確認装置側の試着姿映像確認動作を説明するためのフローチャート（２）である。
【図５】  同じく、試着姿の表示態様例および媒体へのプリントアウト態様例を説明するための図である。
【図６】  同じく、複数の試着姿の併表示態様例（１）および媒体への併プリントアウト態様例（１）を説明するための図である。
【図７】  同じく、複数の試着姿の併表示態様例（２）および媒体への併プリントアウト態様例（２）を説明するための図である。
【図８】  同じく、媒体に試着姿とともに衣料データをプリントおよびバーコードをプリントした場合を説明するための図である。
【図９】  本発明の第２の実施形態に係る電子キャッシュレジスタ側の基本的動作を説明するためのフローチャートである。
【符号の説明】
１  データ通信回線網（ＬＡＮ）
１０  電子キャッシュレジスタ（商品販売データ処理システム）
１１  ＣＰＵ
１２  ＲＯＭ
１３  ＲＡＭ
１５  バーコードスキャナ（スキャナ，商品データ読取手段）
５０  試着姿確認装置（商品販売データ処理システム）
５１  ＣＰＵ
５２  ＲＯＭ
５３  ＲＡＭ（試着姿映像記憶手段）
５４  カメラ（撮影手段）
５５  表示器（試着姿映像表示手段）
５６  操作部
５６Ａ  再表示要求ボタン
５６Ｍ  記憶要求ボタン
５６Ｓ  試着姿選択ボタン
５６Ｐ  印刷要求ボタン
５６Ｃ  終了ボタン
５７  スキャナ
５８  プリンタ
５８Ａ  発行口
７０  媒体
７１  衣料品データ
７２  バーコード（衣料品データ）
１００  試着室
Ｓ  試着姿（試着姿映像）
【図１】
0003638838.tif 000002
【図２】
0003638838.tif 000003
【図３】
0003638838.tif 000004
【図４】
0003638838.tif 000005
【図５】
0003638838.tif 000006
【図６】
0003638838.tif 000007
【図７】
0003638838.tif 000008
【図８】
0003638838.tif 000009
【図９】
0003638838.tif 000010